(57)【要約】      （修正有）【課題】電子計算機およびその周辺機器に接続された通信用ケーブルの長さに応じて、良好な波形品質が確保できるように通信信号の波形を調整する。【解決手段】通信用ケーブルにケーブルの長さを識別可能なＩＤ情報を保存したメモリを内蔵し、電子計算機または周辺機器に搭載された制御用マイコンが通信用ケーブルのＩＤ情報を読み出し、読み出したＩＤ情報から通信用ケーブルの長さを判別し、通信用ＬＳＩを良好な波形品質を得られるように設定する。【選択図】図１
2012090022.tif 000002
【特許請求の範囲】
【請求項１】
通信用ケーブルを接続するコネクタと、通信用ＬＳＩとを備えた電子計算機において、
前記電子計算機は、前記通信用ＬＳＩを制御する制御部を備え、
前記通信用ＬＳＩは、信号波形を調整する信号波形調整部と、レジスタとを有し、
前記通信用ケーブルは、ケーブル長を識別するＩＤ情報を保存したメモリを備え、
前記制御部は、
前記ＩＤ情報を読み出し、
前記読み出したＩＤ情報から通信用ケーブル長を判別し、
前記判別したケーブル長から通信用ＬＳＩの設定値を決定し、
前記通信用ＬＳＩのレジスタへ設定値を書き込み、
前記信号波形調整部は、前記レジスタに書き込まれた設定値に基づいて、通信信号波形の調整を行うことを特徴とする電子計算機。
【請求項２】
前記電子計算機は、前記ＩＤ情報と前記通信用ケーブル長とを対応付けたテーブル情報を有することを特徴とする請求項１記載の電子計算機。
【請求項３】
通信用ケーブルを接続するコネクタと、通信用ＬＳＩとを備えた電子計算機における信号波形品質の改善方法であって、
前記電子計算機は、前記通信用ＬＳＩを制御する制御部を備え、
前記通信用ＬＳＩは、信号波形を調整する信号波形調整部と、レジスタとを有し、
前記通信用ケーブルは、ケーブル長を識別するＩＤ情報を保存したメモリを備え、
前記制御部は、
前記ＩＤ情報を読み出し、
前記読み出したＩＤ情報から通信用ケーブル長を判別し、
前記判別したケーブル長から通信用ＬＳＩの設定値を決定し、
前記通信用ＬＳＩのレジスタへ設定値を書き込み、
前記信号波形調整部は、前記レジスタに書き込まれた設定値に基づいて、通信信号波形の調整を行うことを特徴とする信号波形品質の改善方法。
【請求項４】
前記電子計算機は、前記ＩＤ情報と前記通信用ケーブル長とを対応付けたテーブル情報を有することを特徴とする請求項３記載の信号波形品質の改善方法。
【発明の詳細な説明】
【技術分野】
【０００１】
本発明は、通信用ケーブルで接続された電子計算機、もしくは電子計算機と周辺機器の間で伝送される信号波形の、波形品質改善方式に関する。
【背景技術】
【０００２】
電子計算機の高速化に伴い、通信用ケーブルを介した電子計算機間、および電子計算機と周辺機器間の通信速度も高速化している。一般に、高速信号は低速信号と比較して信号の減衰が大きく、ノイズの影響も受けやすい。そのため、安定した高速通信を実現するためには、信号伝送路の特性に応じて、出力信号波形の調整や入力信号波形の補正を適切に行い、信号波形の品質を確保する必要がある。
【０００３】
電子計算機間および電子計算機と周辺機器間において、通信用ケーブルを介した高速通信を行う場合に信号波形の品質を確保する方法としては、通信に使用するケーブルの種類や長さを指定する方法が考えられる。指定したケーブルを使用した場合において良好な通信波形が得られるように、あらかじめ電子計算機および周辺機器へ出力波形の調整値と入力波形の補正量を設定することで、信号波形の品質を確保する。
【０００４】
また、ユーザが電子計算機に対して使用する通信用ケーブルの長さ情報を入力し、入力された情報に応じて電子計算機が信号波形の設定を切り替えて、波形品質を確保する方法がある。
【先行技術文献】
【特許文献】
【０００５】
【特許文献１】特開２０００−３４１１７７号公報
【発明の概要】
【発明が解決しようとする課題】
【０００６】
通信に使用するケーブルの種類や長さを指定する方法では、指定したケーブルの長さ以上に離れて設置された電子計算機および周辺機器を接続することは出来ない。また、ケーブルで接続する電子計算機もしくは周辺機器を隣接して設置しても、指定した長さのケーブルを使用して接続する必要があるため、必要最低限の長さのケーブルを使用した場合と比較してケーブルのコストが上昇するという問題がある。
【０００７】
ユーザがケーブルの長さ情報を電子計算機へ入力する方法では、ユーザが誤った情報を入力した場合に適切に信号波形が調整されず、通信でエラーが発生する可能性がある。また、電子計算機に複数の電子計算機や周辺機器を接続する場合、ユーザがケーブルの長さ情報を入力する手間が増えるとともに、誤った長さ情報を入力してしまう危険性が増大する。
【課題を解決するための手段】
【０００８】
本発明は、通信用ケーブルにケーブルのＩＤ情報を記録したメモリを備え、電子計算機または周辺機器の制御部がこのＩＤ情報を読み出し、読み出したＩＤ情報をもとにケーブルの長さを判別して、ケーブルの長さから通信用ＬＳＩの設定値を決定し、通信用ＬＳＩへ設定値を書き込み、通信信号波形の調整を行うことを特徴とした信号波形の品質改善方式である。
【発明の効果】
【０００９】
本発明によると、複数の長さのケーブルに対して、通信信号の波形を適切に調整できる。また、ユーザがケーブルの長さ情報を入力する必要が無いため、ユーザの操作ミスと情報入力の手間をなくし、確実に通信信号の波形を調整することが出来る。
【図面の簡単な説明】
【００１０】
【図１】本発明によるケーブル伝送信号の波形品質改善方式を備えた電子計算機の一例を示す説明図。
【図２】制御用マイコンの処理の一例を示すフロー。
【図３】通信用ケーブルのＩＤ情報と通信用ケーブルの長さの対応を示すテーブル。
【図４】通信用ケーブルの長さと通信用ＬＳＩの設定レジスタへ書き込む設定値の対応を示すテーブル。
【発明を実施するための形態】
【００１１】
以下、図面を参照して本発明の実施の形態を説明する。
【００１２】
図１は、本発明の方式を適用した電子計算機１０１の一例を示す説明図である。電子計算機１０１は、他の電子計算機もしくは周辺機器と通信を行うための通信用ＬＳＩ１０２と、通信用ＬＳＩ１０２の設定を行う制御用マイコン１０５と、通信用ケーブルを接続するためのコネクタ１０６とを備える。
【００１３】
通信用ＬＳＩ１０２は、信号波形調整部１０３と、設定レジスタ１０４とを内部に備える。信号波形調整部１０３は、設定レジスタ１０４に書き込まれた設定値に応じて、出力信号波形の調整と入力信号波形の補正を行う。
【００１４】
ケーブル１０９とケーブルコネクタ１０７とは、他の電子計算機もしくは周辺機器と通信を行うために、電子計算機１０１のコネクタ１０６に取り付ける通信用ケーブルである。ケーブルコネクタ１０７の内部には、ケーブルの長さを識別するためのＩＤ情報を保存したメモリ１０８を内蔵している。ＩＤ情報を保存したメモリ１０８は、コネクタ１０６を介して制御用マイコン１０５と接続される。また、通信用ＬＳＩ１０２は、コネクタ１０６とケーブルコネクタ１０７を介してケーブル１０９と接続され、他の電子計算機もしくは周辺機器との通信を行う。
【００１５】
図２に、制御用マイコン１０５の処理フローを示す。以降、図２に示したフローに従って本発明の方式を説明する。コネクタ１０６にケーブルコネクタ１０７が接続されると、制御用マイコン１０５はＳＴＥＰ１において、メモリ１０８からＩＤ情報を読み出す。
【００１６】
ＳＴＥＰ２において、制御用マイコン１０５は、図３に示すケーブルのＩＤ情報とケーブルの長さの対応関係を表すテーブル情報を参照し、ＳＴＥＰ１で読み出したＩＤ情報から、コネクタ１０６に接続された通信用ケーブルの長さを判別する。例えば、ＳＴＥＰ１において、メモリ１０８から読み出したＩＤ情報が０００２であった場合は、コネクタ１０６に接続された通信用ケーブルの長さを２ｍと判別する。図３に示すテーブル情報は、あらかじめ各ＩＤ情報に対応する通信用ケーブルの長さをもとに作成し、制御用マイコン１０５の内部メモリに保持するか、もしくは制御用マイコン１０５からアクセス可能な外部メモリに保存する。
【００１７】
ＳＴＥＰ３において、制御用マイコン１０５は、図４に示す通信用ケーブルの長さと通信用ＬＳＩ１０２の設定レジスタ１０４へ書き込む設定値の対応関係を表すテーブル情報を参照し、ＳＴＥＰ２で判別した通信用ケーブルの長さから、設定レジスタ１０４へ書き込む設定値を決定する。例えば、ＳＴＥＰ２において通信用ケーブルの長さを２ｍと判別した場合は、設定値２を設定レジスタ１０４へ書き込む設定値として決定する。
【００１８】
図４に示すテーブル情報に含まれる設定レジスタ１０４へ書き込む設定値は、あらかじめ各長さのケーブルにおいて良好な波形品質が得られる値を実験的に求めて決定する。図４に示すテーブル情報は、制御用マイコン１０５の内部メモリに保持するか、もしくは制御用マイコン１０５からアクセス可能な外部メモリに保存してもよい。
【００１９】
ＳＴＥＰ４において、制御用マイコン１０５は、通信用ＬＳＩ１０２の設定レジスタ１０４に対して、ＳＴＥＰ３で決定した設定値を書き込む。
【００２０】
このように、設定レジスタ１０４へＳＴＥＰ３で決定した設定値を書き込むことで、通信用ＬＳＩ１０２の信号波形調整部１０３が出力信号波形の調整と入力信号波形の補正を行い、通信信号の波形品質が確保されるという効果が得られる
【符号の説明】
【００２１】
１０１    電子計算機、１０２    通信用ＬＳＩ、１０３    信号波形調整部、１０４    設定レジスタ、１０５    制御用マイコン、１０６    コネクタ、１０７    ケーブルコネクタ、１０８    メモリ、１０９    ケーブル
【図１】
2012090022.tif 000003
【図２】
2012090022.tif 000004
【図３】
2012090022.tif 000005
【図４】
2012090022.tif 000006